(57)【特許請求の範囲】
【請求項１】
ホット側入力端子とホット側出力端子とアース側入力端子とアース側出力端子とを有するコンデンサを備えるノイズフィルタを配線基板に実装する、ノイズフィルタの実装構造であって、
前記配線基板は、前記ホット側入力端子に接続されるホット側入力電極と、前記ホット側出力端子に接続されるホット側出力電極と、前記アース側入力端子に接続されるアース側入力電極と、前記アース側出力端子に接続されるアース側出力電極とを有し、
前記アース側出力電極から見た前記アース側入力端子のインピーダンスを、前記アース側出力電極から見た前記アース側出力端子のインピーダンスおよび前記アース側出力電極から見た前記ホット側出力端子のインピーダンスの各々より大きくするためのインピーダンス増大手段を備え、
前記インピーダンス増大手段は、前記アース側入力電極と前記アース側出力電極との間隔を、前記アース側出力電極と前記ホット側出力電極との間隔より大きくして、前記アース側入力電極と前記アース側出力電極との間に形成される浮遊容量を小さくするための構成を備えることを特徴とする、ノイズフィルタの実装構造。
【請求項２】
前記ホット側入力端子および前記ホット側出力端子は、互いに平行に延びる第１および第２の脚部ならびに前記第１および第２の脚部の各一方端間を連結する中間部を形成するように全体としてＵ字状に曲げられた、ホット側リード線における、前記第１および第２の脚部によってそれぞれ構成され、
前記アース側入力端子および前記アース側出力端子は、互いに平行に延びる第１および第２の脚部ならびに前記第１および第２の脚部の各一方端間を連結する中間部を形成するように全体としてＵ字状に曲げられた、アース側リード線における、前記第１および第２の脚部によってそれぞれ構成され、
前記コンデンサは、相対向する位置に設けられた第１および第２の端子電極を備え、
前記ホット側リード線は、前記中間部において前記第１の端子電極に接続され、
前記アース側リード線は、前記中間部において前記第２の端子電極に接続されている、
請求項１に記載のノイズフィルタの実装構造。
【請求項３】
少なくとも前記アース側入力端子に関連して設けられるフェライトビーズをさらに備える、請求項１に記載のノイズフィルタの実装構造。
【請求項４】
少なくとも前記ホット側出力端子に関連して設けられる貫通コンデンサをさらに備える、請求項１に記載のノイズフィルタの実装構造。
【発明の詳細な説明】
【技術分野】
【０００１】  この発明は、ノイズフィルタの実装構造に関するもので、特に、４端子のコンデンサを備えるノイズフィルタの実装構造に関するものである。
【背景技術】
【０００２】  この発明にとって興味ある従来のノイズフィルタとして、図６に示すようなものがある（たとえば、特許文献１、２および３参照）。図６において、（ａ）は、ノイズフィルタ１の上面図であり、（ｂ）は、同じく右側面図である。【０００３】  図６を参照して、ノイズフィルタ１は、４端子のコンデンサ２を備えている。コンデンサ２は、チップ状をなすもので、互いに平行に延びかつ相対向する第１および第２の端面３および４上には、それぞれ、第１および第２の端子電極５および６が設けられている。【０００４】  また、ノイズフィルタ１は、図６（ｂ）によく示されているように、互いに平行に延びる第１および第２の脚部７および８ならびに第１および第２の脚部７および８の各一方端間を連結する中間部９を形成するように全体としてＵ字状に曲げられた、ホット側リード線１０を備えている。【０００５】  ホット側リード線１０は、第１および第２の脚部７および８がコンデンサ２の第１および第２の端面３および４に平行な方向に延びた状態で、中間部９において第１の端子電極５に接続される。また、ホット側リード線１０は、第１および第２の脚部７および８において、それぞれ、電源側に接続されるホット側入力端子および負荷回路側に接続されるホット側出力端子を構成する。【０００６】  以下の説明において、参照符号「７」は、「第１の脚部」に対してだけでなく、「ホット側入力端子」に対しても用いることにし、参照符号「８」は、「第２の脚部」に対してだけでなく、「ホット側出力端子」に対しても用いることにする。【０００７】  ノイズフィルタ１は、また、互いに平行に延びる第１および第２の脚部１１および１２ならびに第１および第２の脚部１１および１２の各一方端間を連結する中間部１３を形成するように全体としてＵ字状に曲げられた、アース側リード線１４を備えている。なお、アース側リード線１４の脚部１１および１２については、図６において、明瞭に図示されていない。【０００８】  アース側リード線１４は、第１および第２の脚部１１および１２がコンデンサ２の第１および第２の端面３および４に平行な方向に延びた状態、すなわち、ホット側リード線１０における第１および第２の脚部７および８に平行な方向に延びた状態で、中間部１３において第２の端子電極６に接続される。また、アース側リード線１４は、その第１および第２の脚部１１および１２において、それぞれ、電源側に接続されるアース側入力端子および負荷回路側に接続されるアース側出力端子を構成する。【０００９】  以下の説明において、参照符号「１１」は、「第１の脚部」に対してだけでなく、「アース側入力端子」に対しても用いることにし、参照符号「１２」は、「第２の脚部」に対してだけでなく、「アース側出力端子」に対しても用いることにする。【００１０】  上述のようなノイズフィルタ１が実装される配線基板は、ホット側入力端子７に接続されるホット側入力電極と、ホット側出力端子８に接続されるホット側出力電極と、アース側入力端子１１に接続されるアース側入力電極と、アース側出力端子１２に接続されるアース側出力電極とを有している。【００１１】  図７は、ノイズフィルタ１が与える等価回路を示すとともに、ノイ���フィルタ１が配線基板に実装された状態での配線基板のホット側およびアース側の接続態様を図解的に示す図である。図７において、ノイズフィルタ１が与える等価回路については、図６において用いた参照符号を対応の要素に付すことによって、図７に示した要素と図６に示した要素との対応関係が明らかにされている。【００１２】  図７には、前述したホット側入力端子７に接続されるホット側入力電極４５、ホット側出力端子８に接続されるホット側出力電極４６、アース側入力端子１１に接続されるアース側入力電極１５およびアース側出力端子１２に接続されるアース側出力電極１６が図示されている。配線基板全体については図示しないが、ホット側入力電極４５、ホット側出力電極４６、アース側入力電極１５およびアース側出力電極１６は、配線基板に設けられるものである。【００１３】  上述の配線基板は、通常、金属からなるシャーシ１７に対して金属ねじ１８によって固定される。その結果、アース側出力電極１６は、金属ねじ１８を介してシャーシ１７に電気的に接続された状態となる。【００１４】  図６および図７に示したノイズフィルタ１の動作状態において、ノイズ信号は、アース側出力端子１２から、配線基板のアース側出力電極１６および金属ねじ１８を介して、シャーシ１７へと流れる。このとき、アース側出力電極１６とシャーシ１７とは、金属ねじ１８を通して電気的に接続されているにすぎないので、上述のノイズ信号に対する接地性はあまり良好ではないことがある。【００１５】  他方、配線基板において、アース側入力電極１５とアース側出力電極１６とは、互いに隣り合いかつ比較的近接した状態で設けられているため、図７において破線で示すような浮遊容量１９が不可避的に形成される。【００１６】  これらのことから、前述したように、アース側出力端子１２からアース側出力電極１６へと接地されたノイズ信号は、破線の矢印４４で示すように、浮遊容量１９を通してアース側入力電極１５へと流れ、次いで、アース側入力端子１１へと回り込み、ノイズ除去効果が劣化することがある。【００１７】  また、図６および図７に示したノイズフィルタ１の動作状態において、ノイズ信号は、破線の矢印４７で示すように、ホット側出力端子８から、コンデンサ２を介して、アース側出力端子１２へ流れ、さらに、配線基板のアース側出力電極１６および金属ねじ１８を介して、シャーシ１７へと流れる。このとき、コンデンサ２のノイズ周波数帯域におけるインピーダンスが比較的高い場合や、アース側リード線１４の残留インダクタンスがノイズ信号に残留インピーダンスとして作用する場合があり、これらの場合には、上述のノイズ信号に対する接地性はあまり良好でないことがある。【００１８】  このような状況下では、ホット側出力端子８からコンデンサ２へと流れたノイズ信号の一部は、破線の矢印４８で示すように、コンデンサ２を通らず、ホット側リード線１０へと回り込み、ホット側入力端子７へ流出したり、破線の矢印４９で示すように、コンデンサ２を通過した後も、アース側リード線１４へ流れずに、アース側入力端子１１へと回り込んだりして、ノイズ除去効果が劣化することがある。
【特許文献１】実公平１−２２２５８号公報
【特許文献２】実公平２−１８５８７号公報
【特許文献３】実公平６−３１７７７号公報
【発明の開示】
【発明が解決しようとする課題】
【００１９】  そこで、この発明の目的は、上述のような問題を解決し得る、ノイズフィルタの実装構造を提供しようとすることである。
【課題を解決するための手段】
【００２０】  この発明は、ホット側入力端子とホット側出力端子とアース側入力端子とアース側出力端子とを有するコンデンサを備えるノイズフィルタを配線基板に実装する、ノイズフィルタの実装構造に向けられる。【００２１】  上記配線基板は、ホット側入力端子に接続されるホット側入力電極と、ホット側出力端子に接続されるホット側出力電極と、アース側入力端子に接続されるアース側入力電極と、アース側出力端子に接続されるアース側出力電極とを有している。【００２２】  前述した技術的課題を解決するため、この発明では、アース側出力電極から見たアース側入力端子のインピーダンスを、アース側出力電極から見たアース側出力端子のインピーダンスおよびアース側出力電極から見たホット側出力端子のインピーダンスの各々より大きくするためのインピーダンス増大手段を備えることを特徴としている。【００２３】
上記インピーダンス増大手段は、より詳細には、アース側入力電極とアース側出力電極との間隔を、アース側出力電極とホット側出力電極との間隔より大きくして、アース側入力電極とアース側出力電極との間に形成される浮遊容量を小さくするための構成を備えている。
【００２５】  この発明に係る実装構造が適用されるノイズフィルタは、次のような構成を有していることが好ましい。【００２６】  すなわち、ホット側入力端子およびホット側出力端子は、互いに平行に延びる第１および第２の脚部ならびに第１および第２の脚部の各一方端間を連結する中間部を形成するように全体としてＵ字状に曲げられた、ホット側リード線における、第１および第２の脚部によってそれぞれ構成される。【００２７】  他方、アース側入力端子およびアース側出力端子は、互いに平行に延びる第１および第２の脚部ならびに第１および第２の脚部の各一方端間を連結する中間部を形成するように全体としてＵ字状に曲げられた、アース側リード線における、第１および第２の脚部によってそれぞれ構成される。【００２８】  コンデンサは、相対向する位置に設けられた第１および第２の端子電極を備え、ホット側リード線は、その中間部において第１の端子電極に接続され、アース側リード線は、その中間部において第２の端子電極に接続される。【００２９】  この発明において、少なくともアース側入力端子に関連して、フェライトビーズが設けられることが好ましい。【００３０】  また、少なくともホット側出力端子に関連して、貫通コンデンサが設けられることが好ましい。
【発明の効果】
【００３１】  この発明によれば、インピーダンス増大手段によって、アース側入力端子のインピーダンスが大きくされるので、アース側出力端子からアース側出力電極へと接地されたノイズ信号が、アース側入力電極を介してアース側入力端子へと回り込むことを抑制することができる。さらに、ホット側出力電極に発生したノイズ信号が、ホット側出力電極とアース側出力電極との間に形成された浮遊容量を介して、アース側出力電極へ接地される。その結果、良好なノイズ除去特性を与え得る、ノイズフィルタの実装構造を実現することができる。【００３２】
また、インピーダンス増大手段が、アース側入力電極とアース側出力電極との間隔を大きくして、アース側入力電極とアース側出力電極との間に形成される浮遊容量を小さくし、かつ、ホット側出力電極とアース側出力電極との間隔を小さくして、ホット側出力電極とアース側出力電極との間に形成される浮遊容量を積極的に利用する構成を備えているため、特別な部品を必要とすることなく、すなわち、配線基板におけるアース側入力電極、アース側出力電極およびホット側出力電極の各パターンを変更するだけで、インピーダンス増大手段を実現することができる。
【００３４】  また、フェライトビーズが少なくともアース側入力端子に関連して設けられていると、この部分でのインダクタンスを向上させることができ、ノイズ除去効果を高めることができる。【００３５】  また、貫通コンデンサが少なくともホット側出力端子に関連して設けられていると、ノイズ除去効果を高めることができる。
【図面の簡単な説明】
【００３６】［図１］図１は、この発明の第１の実施形態による実装構造において適用されるノイズフィルタ２１の外観を示すもので、（ａ）は上面図、（ｂ）は正面図、（ｃ）は右側面図である。
［図２］図２は、図１に示したノイズフィルタ２１の内部構造を示す断面図であり、（ａ）は図１（ａ）の線Ａ−Ａに沿う断面図、（ｂ）は同じく線Ｂ−Ｂに沿う断面図、（ｃ）は同じく線Ｃ−Ｃに沿う断面図、（ｄ）は同じく線Ｄ−Ｄに沿う断面図である。
［図３］図３は、図１に示したノイズフィルタ２１の実装構造を説明するためのもので、（ａ）は、ノイズフィルタ２１の下面図であり、（ｂ）は、配線基板５１の一部であって、ノイズフィルタ２１の実装面とは逆の面を示す図である。
［図４］図４は、ノイズフィルタ２１が与える等価回路を示すとともに、ノイズフィルタ２１が配線基板５１に実装された状態での配線基板５１のホット側およびアース側の接続態様を図解的に示す図である。
［図５］図５は、この発明の第２の実施形態を示す、図４に対応する図である。
［図６］図６は、この発明にとって興味ある従来のノイズフィルタ１を示すもので、（ａ）は上面図、（ｂ）は右側面図である。
［図７］図７は、ノイズフィルタ１が与える等価回路を示すとともに、ノイズフィルタ１が配線基板に実装された状態での配線基板のホット側およびアース側の接続態様を図解的に示す図である。
【符号の説明】
【００３７】  ２１，５１，６１  ノイズフィルタ
２２  コンデンサ
２５  第１の端子電極
２６  第２の端子電極
２７  ホット側リード線
２８  第１の脚部またはホット側入力端子
２９  第２の脚部またはホット側出力端子
３０，３４  中間部
３１  アース側リード線
３２  第１の脚部またはアース側入力端子
３３  第２の脚部またはアース側出力端子
３５〜３７  フェライトビーズ
３８  貫通コンデンサ
５１  配線基板
５２〜５７  貫通孔
５８  ホット側入力電極
５９  ホット側出力電極
６０  アース側入力電極
６１  アース側出力電極
６４，６６  浮遊容量
６５  インダクタ
【発明を実施するための最良の形態】
【００３８】  図１ないし図４は、この発明の第１の実施形態によるノイズフィルタの実装構造を説明するためのものである。【００３９】  ここで、まず、図１は、ノイズフィルタ２１の外観を示すもので、（ａ）は上面図、（ｂ）は正面図、（ｃ）は右側面図である。図２は、ノイズフィルタ２１の内部構造を示す断面図であり、（ａ）は図１（ａ）の線Ａ−Ａに沿う断面図、（ｂ）は図１（ａ）の線Ｂ−Ｂに沿う断面図、（ｃ）は図１（ａ）の線Ｃ−Ｃに沿う断面図、（ｄ）は図１（ａ）の線Ｄ−Ｄに沿う断面図である。【００４０】  図示したノイズフィルタ２１は、より具体的には、ＥＭＩ除去フィルタとして機能するＬＣ複合部品である。【００４１】  ノイズフィルタ２１は、４端子のコンデンサとしてのチップ状のコンデンサ２２を備えている。コンデンサ２２は、たとえば積層セラミックコンデンサから構成される。コンデンサ２２の互いに平行に延びかつ相対向する第１および第２の端面２３および２４上には、それぞれ、第１および第２の端子電極２５および２６が設けられている。【００４２】  また、ノイズフィルタ２１は、ホット側リード線２７およびアース側リード線３１を備えている。【００４３】  ホット側リード線２７は、図２（ｃ）によく示されているように、互いに平行に延びる第１および第２の脚部２８および２９ならびに第１および第２の脚部２８および２９の各一方端間を連結する中間部３０を形成するように全体としてＵ字状に曲げられている。【００４４】  他方、アース側リード線３１は、図２（ｄ）によく示されているように、互いに平行に延びる第１および第２の脚部３２および３３ならびに第１および第２の脚部３２および３３の各一方端間を連結する中間部３４を形成するように全体としてＵ字状に曲げられている。【００４５】  ホット側リード線２７は、第１および第２の脚部２８および２９がコンデンサ２２の第１および第２の端面２３および２４に平行な方向に延びた状態で、中間部３０において第１の端子電極２５に半田付けによって接続されている。また、ホット側リード線２７は、第１および第２の脚部２８および２９において、それぞれ、電源側に接続されるホット側入力端子および負荷回路側に接続されるホット側出力端子を構成する。【００４６】  以下の説明において、参照符号「２８」は、「第１の脚部」に対してだけでなく、「ホット側入力端子」に対しても用いることにする。また、参照符号「２９」は、「第２の脚部」に対してだけでなく、「ホット側出力端子」に対しても用いることにする。【００４７】  他方、アース側リード線３１は、第１および第２の脚部３２および３３がコンデンサ２２の第１および第２の端面２３および２４に平行な方向に延びた状態、すなわち、ホット側リード線２７における第１および第２の脚部２８および２９に平行な方向に延びた状態で、中間部３４において第２の端子電極２６に半田付けによって接続されている。また、アース側リード線３１は、第１および第２の脚部３２および３３において、それぞれ、電源に接続されるアース側入力端子および負荷回路側に接続されるアース側出力端子を構成する。【００４８】  以下の説明において、参照符号「３２」は、「第１の脚部」に対してだけでな��、「アース側入力端子」に対しても用いることにする。また、参照符号「３３」は、「第２の脚部」に対してだけでなく、「アース側出力端子」に対しても用いることにする。【００４９】  この実施形態では、ホット側リード線２７の中間部３０およびアース側リード線３１の中間部３４は、ともに、コンデンサ２２の第１および第２の端面２３および２４の各々に近づくように曲げられた形状を有している。これは、コンデンサ２２の第１および第２の端面２３および２４間の寸法が、ホット側入力端子２８およびホット側出力端子２９の各々とアース側入力端子３２およびアース側出力端子３３の各々との間の間隔より短くても、余計な部材を用いることなく、半田付け等によって、ホット側リード線２７の中間部３０をコンデンサ２２の第１の端子電極２５に接続し、また、アース側リード線３１の中間部３４を第２の端子電極２６に接続することができるようにするためのものである。【００５０】  また、この実施形態では、ホット側リード線２７の中間部３０およびアース側リード線３１の中間部３４が、それぞれ、コンデンサ２２の第１および第２の端面２３および２４上において、第１および第２の端子電極２５および２６に接続されたが、これら中間部３０および３４は、コンデンサ２２の下面上において、それぞれ、第１および第２の端子電極２５および２６に接続されてもよい。【００５１】  ホット側リード線２７の第１および第２の脚部２８および２９には、それぞれ、図１および図２（ｃ）によく示されているように、脚部２８および２９を受け入れた状態で筒状のフェライトビーズ３５および３６が設けられている。【００５２】  また、図１および図２（ｄ）によく示されているように、アース側リード線３１の第１の脚部３２には、これを受け入れた状態で筒状のフェライトビーズ３７が設けられている。【００５３】  上述したフェライトビーズ３５〜３７のうち、特に、アース側リード線３１の第１の脚部すなわちアース側入力端子３２に設けられるフェライトビーズ３７が最も重要である。以下、ホット側リード線２７のホット側入力端子２８に設けられるフェライトビーズ３５、ホット側リード線２７のホット側出力端子２９に設けられるフェライトビーズ３６の順に重要である。なお、図示しないが、アース側リード線３１のアース側出力端子３３にも、フェライトビーズが設けられてもよい。【００５４】  また、図２（ｂ）および（ｃ）によく示されているように、ホット側リード線２７の第２の脚部２９には、これを受け入れた状態で貫通コンデンサ３８が設けられている。貫通コンデンサ３８の内周電極は、ホット側リード線２７の第２の脚部２９に半田付けによって接続される。【００５５】  貫通コンデンサ３８については、この実施形態のように、少なくともホット側リード線２７の第２の脚部すなわちホット側出力端子２９に関連して設けられることが最も重要である。なお、図示しないが、さらに、ホット側リード線２７の第１の脚部すなわちホット側入力端子２８に関連して、貫通コンデンサが設けられてもよい。【００５６】  ノイズフィルタ２１は、また、導体からなるグラウンドプレート３９を備えている。グラウンドプレート３９は、リード線２７および３���の各々の脚部２８、２９、３２および３３に対して直交する方向に延びている。【００５７】  前述した貫通コンデンサ３８の外周電極は、図２（ｂ）および（ｃ）によく示されているように、グラウンドプレート３９に半田付けされて接続されている。【００５８】  また、グラウンドプレート３９には、図２（ｂ）および（ｄ）によく示されているように、アース側リード線３１の第２の脚部３３が半田付けされて接続されている。【００５９】  他方、図２（ｃ）および（ｄ）によく示されているように、ホット側リード線２７の第１の脚部２８およびアース側リード線３１の第１の脚部３２は、グラウンドプレート３９に対して電気的に絶縁されている。【００６０】  グラウンドプレート３９には、導体からなるシールドプレート４０が直交する状態で取り付けられている。シールドプレート４０は、図２（ｃ）および（ｄ）によく示されているように、ホット側リード線２７の第１の脚部すなわち入力端子２８と第２の脚部すなわち出力端子２９との間、ならびにアース側リード線３１の第１の脚部すなわち入力端子３２と第２の脚部すなわち出力端子３３との間に位置している。【００６１】  シールドプレート４０には、２個のアース端子４１および４２が一体的に形成されている。アース端子４１および４２は、ホット側入力端子２８、ホット側出力端子２９、アース側入力端子３２およびアース側出力端子３３よりも下方へより突出した状態となっている。【００６２】  ノイズフィルタ２１は、さらに、以上説明したコンデンサ２２、ホット側リード線２７、アース側リード線３１、フェライトビーズ３５〜３７、貫通コンデンサ３８、グラウンドプレート３９ならびにシールドプレート４０を互いに固定するようにモールドされた絶縁性樹脂からなる樹脂体４３を備えている。【００６３】  図３は、ノイズフィルタ２１の実装構造を説明するためのもので、（ａ）は、ノイズフィルタ２１の下面図であり、（ｂ）は、ノイズフィルタ２１が実装された配線基板５１の一部を示すもので、ノイズフィルタ２１の実装面とは逆側の面を示している。【００６４】  図３（ａ）に示したノイズフィルタ２１の輪郭が、図３（ｂ）において破線で示されている。また、図３（ｂ）において、ホット側入力端子２８、ホット側出力端子２９、アース側入力端子３２、アース側出力端子３３ならびにアース端子４１および４２をそれぞれ受け入れた貫通孔５２、５３、５４、５５、５６および５７が図示されている。【００６５】  図３（ｂ）に示すように、配線基板５１には、ホット側入力端子２８に接続されるホット側入力電極５８と、ホット側出力端子２９に接続されるホット側出力電極５９と、アース側入力端子３２に接続されるアース側入力電極６０と、アース側出力端子３３ならびにアース端子４１および４２に接続されるアース側出力電極６１とが設けられている。【００６６】  図４は、ノイズフィルタ２１が与える等価回路を示すとともに、ノイズフィルタ２１が配線基板５１に実装された状態での配線基板５１のホット側およびアース側の接続態様を図解的に示す、前述の図７に対応する図である。図４において、図１ないし図３において用いた参照符号を対応の要素に付すことによって、図４に示し��要素と図１ないし図３に示した要素との対応関係が明らかにされている。【００６７】  図４には、また、配線基板５１を金属ねじ６２によって取り付ける金属からなるシャーシ６３が図解的に示されている。金属ねじ６２によって、配線基板５１に設けられたアース側出力電極６１がシャーシ６３と電気的に接続される。【００６８】  以上のようなノイズフィルタ２１の実装構造において、アース側出力電極６１から見たアース側入力端子３２のインピーダンスを、アース側出力電極６１から見たアース側出力端子３３のインピーダンスおよびアース側出力電極６１から見たホット側出力端子２９のインピーダンスの各々より大きくするためのインピーダンス増大手段を備えることを特徴としている。【００６９】  この実施形態では、インピーダンス増大手段は、図４において破線で示した、アース側入力電極６０とアース側出力電極６１との間に形成される浮遊容量６４を小さくし、かつホット側出力電極５９とアース側出力電極６１との間に形成される浮遊容量６６を大きくするための構成を備えている。このように、浮遊容量６４を小さくし、かつ浮遊容量６６を大きくするための構成は、より具体的には、次のように実現される。【００７０】  ノイズフィルタ２１によるノイズ除去効果を高めるためには、アース側出力電極６１は、図３（ｂ）に示されるように、配線基板５１において、できるだけ広く形成されることが好ましい。しかしながら、それにも関わらず、アース側入力電極６１とアース側出力電極６１との間隔ａは、比較的大きくされ、アース側出力電極６１とホット側出力電極５９との間隔ｂより大きくされる。【００７１】  このように、間隔ａを大きくすることにより、浮遊容量６４を小さくすることができ、その結果、アース側出力電極６１から見たアース側入力端子３２のインピーダンスを大きくすることができる。そして、このことから、アース側出力端子３３からアース側出力電極６１へと接地されたノイズ信号が、浮遊容量６４およびアース側入力電極６０を介してアース側入力端子３２へと回り込むのを抑制することができる。【００７２】  また、間隔ｂを小さくすることにより、浮遊容量６６を大きくすることができ、その結果、ホット側出力電極５９に発生したノイズ信号が、コンデンサ２２を介して、アース側出力端子３３へと回り込むのを抑制しながら、破線の矢印６７で示すように、アース側出力電極６１へと接地され、さらに、破線の矢印６８で示すように、アース側出力電極６１および金属ねじ６２を介して、シャーシ６３へと流すことができる。【００７３】  以上のようなことから、ノイズフィルタ２１のノイズ除去特性を向上させることができる。【００７４】  図５は、この発明の第２の実施形態を説明するための図４に対応する図である。図５において、図４に示した要素に相当する要素には同様の参照符号を付し、重複する説明は省略する。また、第２の実施形態を説明するため、前述した図３をも参照する。【００７５】  第２の実施形態では、インピーダンス増大手段として、アース側入力電極６０とアース側出力電極６１との間に接続されるインダクタ６５を用いることを特徴としている。このインダクタ６５は、図３（ｂ）において２点鎖線で示す��うな位置に実装されたチップインダクタによって与えることができる。【００７６】  なお、インダクタ６５は、上述のチップインダクタに代えて、たとえば、インダクタンスを大きくするようにアース側入力電極６０のパターンを変更することによって実現されてもよい。また、アース側出力電極６１の面積をより大きくして、そのインダクタンスを小さくし、結果として、アース側出力電極６１から見たアース側入力端子３２のインピーダンスを、アース側出力電極６１から見たアース側出力端子３３のインピーダンスおよびアース側出力電極６１から見たホット側出力端子２９のインピーダンスの各々より大きくなるようにしてもよい。【００７７】
なお、第１の実施形態の特徴的構成を示す図３（ｂ）において、第２の実施形態の特徴となるインダクタ６５を図示したことからわかるように、第２の実施形態は、第１の実施形態と同時に適用されるものである。
【産業上の利用可能性】
【００７８】  大型ディスプレイなどにおけるＤＣ電源ラインでのノイズを除去するため、ＥＭＩ除去フィルタとして機能する４端子のコンデンサを備えるノイズフィルタを配線基板に実装する際に適用することができる。
【図１】
0004241732.tif 000002
【図２】
0004241732.tif 000003
【図３】
0004241732.tif 000004
【図４】
0004241732.tif 000005
【図５】
0004241732.tif 000006
【図６】
0004241732.tif 000007
【図７】
0004241732.tif 000008